【手続補正書】
【提出日】平成17年6月6日(2005.6.6)
【手続補正１】
【補正対象書類名】明細書
【補正対象項目名】特許請求の範囲
【補正方法】変更
【補正の内容】
【特許請求の範囲】
【請求項１】
球供給路から供給される遊技球を所定数単位で球通出部に通出する球処理装置であって、
前記球供給路と球通出部との間に配設され、該球供給路と連通する球通入部を形成したベース部材と、
前記球通入部に対して移動可能な状態で前記ベース部材に配設され、前記球通入部に球入口が連通可能で所定数の遊技球を収容する第１樋部および第２樋部を形成した樋部材と、
前記球通出部と連通すると共に前記樋部材の移動方向に離間して前記ベース部材に形成され、前記第２樋部の球入口が前記球通入部に連通した際に前記第１樋部の球出口が連通する第１球排出部、および第１樋部の球入口が球通入部に連通した際に第２樋部の球出口が連通する第２球排出部と、
前記第１樋部の球出口と前記第１球排出部とが連通すると共に、前記第２樋部の球入口と前記球通入部とが連通する第１状態、または前記第２樋部の球出口と前記第２球排出部とが連通すると共に、前記第１樋部の球入口と前記球通入部とが連通する第２状態に前記樋部材を変位させる切替手段と、
前記第１球排出部および第２球排出部の間に配置され、前記球通入部に連通した前記第１樋部または第２樋部の球出口を閉塞する排出規制板とを備え、
前記第１状態では、前記第１樋部に収容された遊技球を前記第１球排出部から前記球通出部に通出すると共に、前記第２樋部の球出口が排出規制板によって閉塞されたもとで、前記球供給路から前記球通入部を介して所定数の遊技球を該第２樋部に流入させ、
前記第２状態では、前記第２樋部に収容された遊技球を前記第２球排出部から前記球通出部に通出すると共に、前記第１樋部の球出口が排出規制板によって閉塞されたもとで、前記球供給路から前記球通入部を介して所定数の遊技球を該第１樋部に流入させるよう構成した
ことを特徴とする球処理装置。
【請求項２】
前記樋部材は、前記球通入部に対して揺動可能な状態で前記ベース部材に配設され、前記切替手段により前記第１状態と第２状態とに揺動変位されるよう構成した請求項１記載の球処理装置。
【請求項３】
前記第１球排出部と第２球排出部との間の前記ベース部材に、前記球通入部と連通した前記第１樋部または第２樋部の球出口に連通可能な球抜き部を形成すると共に、前記排出規制板が、前記第１樋部または第２樋部の球出口を閉塞する球排出規制位置から、該第１樋部または第２樋部の球出口を開放する球排出許容位置に第２の切替手段により変位された際に、前記第１樋部または第２樋部の球出口と球抜き部とが連通するよう構成した請求項１または２記載の球処理装置。
【請求項４】
確認センサ部が、前記球通入部に整列するよう前記ベース部材に配設されて、前記樋部材を前記第１状態に変位した際には、前記第２樋部に流入した遊技球を確認し得ると共に、前記樋部材を前記第２状態に変位した際には、前記第１樋部に流入した遊技球を確認し得るよう構成した請求項１〜３の何れかに記載の球処理装置。
【手続補正２】
【補正対象書類名】明細書
【補正対象項目名】００３１
【補正方法】変更
【補正の内容】
【００３１】
図５〜図９に示すように、前記上壁部２１ａの前端縁には、前記第１収容ケース１１の上開口部１１ａと上下に整列する位置に、前記第１ベース部材２１にパチンコ球Ｒが通入する球通入部としての球通入口２３が前側に開口するよう形成してある。一方、前記下壁部２１ｂの前端縁には、前記第１収容ケース１１の下開口部(後ケース体１２の第２切欠部１３ｂ)に整合する第１球排出路部２５が形成されている。
【手続補正３】
【補正対象書類名】明細書
【補正対象項目名】００５０
【補正方法】変更
【補正の内容】
【００５０】
そして、前記樋部材５１における前記球通入口２３に連通した第１または第２樋部５５,５６にパチンコ球Ｒが未収容の場合には、前記第１センサ７２の各発光部７２ｂの光は、前記第１ベース部材２１の第１の貫通孔３７ａ、樋部材５１の第１または第２検出孔５５ｃ,５６ｃ、前記第１カバー部材６１の第２の貫通孔６３ａを夫々通過して、前記第２センサ７３の受光部７３ｂで検出される。一方、前記樋部材５１における前記球通入口２３に連通した第１または第２樋部５５,５６にパチンコ球Ｒが収容されている場合には、前記第１センサ７２の各発光部７２ｂの光は、該パチンコ球Ｒにより遮断されて前記第１カバー部材６１の第２の貫通孔６３ａを通過し得ないので、前記第２センサ７３の受光部７３ｂで検出されない。すなわち、前記樋部材５１に５個のパチンコ球Ｒが収容されて全ての第１センサ７２の光が遮断されることで、５個のパチンコ球Ｒの収容が検出されるようになっている。そして、この第１の収容球確認センサ部７１により５個のパチンコ球Ｒの収容を検出した際に、前記樋部材５１を揺動し得るよう構成してある。
【手続補正４】
【補正対象書類名】明細書
【補正対象項目名】００６３
【補正方法】変更
【補正の内容】
【００６３】
(第２球取込装置について)
第２球取込装置８０は、図１７に示すように、前記上球皿１５４から筐体内部に連通する球供給路１６５,１６５と、パチンコ球Ｒを機内に取り込む球通出路１６６との間に配設されて、該球供給路１６５,１６５から供給されるパチンコ球Ｒを所定数(５個)単位で球通出路１６６に通出する装置である。前記第２球取込装置８０は、図１９に示すように、前側に開口する略矩形状の後ケース体８２と、後側に開口する略矩形状の前ケース体８８とから箱体状に形成された第２収容ケース８１内に、第２球処理機構部９０(後述)を収容して構成されており、該第２球取込装置８０を該第２収容ケース８１単位のユニットとして取扱い得るようになっている。そして、前記後ケース体８２の上面壁８２ａに前記球供給路１６５の一方と連通する第１上開口部８１ａおよび他方と連通する第２上開口部８１ｂが左右方向に離間した２箇所に形成されると共に、下面壁に該第２収容ケース８１内に収容する第２球処理機構部９０の第２球排出路部９５に整合する下開口部(図示せず)が形成されている。なお、この第２球取込装置８０に関する以下の説明において、前後、左右および上下とは、図１７に示すように、前記上球皿１５４を裏側から見た状態で指称するものとする。
【手続補正５】
【補正対象書類名】明細書
【補正対象項目名】００６７
【補正方法】変更
【補正の内容】
【００６７】
(第２球排出路部について)
図１８または図２０に示すように、前記第２球排出路部９５は、前記第２ベース部材９１における上壁部９１ａの左側に位置する第１球通入口９３と上下に整列する位置に開口した第１球抜き口９７ａに連通する第１球抜き路(第１球抜き部)９７と、該上壁部９１ａの右側に位置する第２球通入口９４と上下に整列する位置に開口した第２球抜き口９８ａに連通する第２球抜き路(第２球抜き部)９８と、該第１球抜き口９７ａおよび第２球抜き口９８ａの間に開口した球排出口９６ａに連通する球排出路(球排出部)９６とから構成される。ここで、前記第１および第２球抜き路９７,９８(第１および第２球抜き口９７ａ,９８ａ)の夫々は前記下球皿１５６に連通する球抜出路１６７に連通し、球排出路９６(球排出口９６ａ)は前記球通出路１６６に連通している。なお、前記球排出路９６の途中位置には後方に突出する収容部(図示せず)が形成されて、この収容部に該球排出路９６を通出するパチンコ球Ｒを光学的に検出する前記通出球確認センサ(図示せず)が収容されている。
【手続補正６】
【補正対象書類名】明細書
【補正対象項目名】００７９
【補正方法】変更
【補正の内容】
【００７９】
そして、前記樋部材１２０における前記第１または第２球通入口９３,９４に連通した第１または第２樋部５５,５６にパチンコ球Ｒが未収容の場合には、前記第１センサ１４２の各発光部７２ｂの光軸は、前記第２ベース部材９１の第１の貫通孔１０７ａ、樋部材１２０の第１または第２検出孔５５ｃ,５６ｃ、前記第２カバー部材１３１の第２の貫通孔を夫々通過して、前記第２センサ１４３の受光部７３ｂで検出される。一方、前記樋部材１２０における前記第１または第２球通入口９４,９４に連通した第１または第２樋部５５,５６にパチンコ球Ｒが収容されている場合には、前記第１センサ１４２の各発光部７２ｂの光は、該パチンコ球Ｒにより遮断されて前記第２カバー部材１３１の第２の貫通孔を通出し得ないので、前記第２センサ１４３の受光部７３ｂで検出されない。すなわち、前記樋部材１２０に５個のパチンコ球Ｒが収容されて全ての第１センサ１４２の光が遮断されることで、５個のパチンコ球Ｒの収容が検出されるようになっている。そして、この第２の収容球確認センサ部１４１により５個のパチンコ球Ｒの収容を検出した際に、前記樋部材１２０を揺動し得るよう構成してある。
【手続補正７】
【補正対象書類名】明細書
【補正対象項目名】符号の説明
【補正方法】変更
【補正の内容】
【符号の説明】
１０  第１球取込装置(球処理装置)
２１  第１ベース部材(ベース部材)
２３  球通入口(球通入部)
２６  第１球排出路(第１球排出部)
２７  第２球排出路(第２球排出部)
２８  球抜き路(球抜き部)
４２  第１ソレノイド(切替手段)
４３  第２ソレノイド(第２の切替手段)
４６ａ  排出規制板
５１  樋部材
５５  第１樋部
５５ａ  球入口
５５ｂ  球出口
５６  第２樋部
５６ａ  球入口
５６ｂ  球出口
７１  第１の収容球確認センサ部(確認センサ)
１６５  球供給路
１６６  球通出部
Ｒ  パチンコ球(遊技球)
【手続補正８】
【補正対象書類名】図面
【補正対象項目名】図１２
【補正方法】変更
【補正の内容】
【図１２】
2004065319.tif 000001
【手続補正９】
【補正対象書類名】図面
【補正対象項目名】図１９
【補正方法】変更
【補正の内容】
【図１９】
2004065319.tif 000002